(57)【要約】【課題】多くの費用を掛けずに、簡単な構造により組立分解を容易にすることで設置場所の移動が容易にできる風車等を海上や水上に設置するための浮台を提供すること。【解決手段】互いに離して並行に配置した複数の菅材２と、この菅材２が貫通する孔７を面部に、又は凹溝８を周辺部に有する板状の固定板３と、この菅材２を緊縛して固定板３に固定する線形材料９とで形成されたトラス構造の空間にフロートとなるペットボトル４を挿入した浮台。【選択図】図４
2004175321.tif 000002
【特許請求の範囲】
【請求項１】
互いに離して並行に配置した複数の菅材と、この菅材が貫通する孔を面部に、又は凹溝を周辺部に有する板状の固定板と、この菅材を緊縛して固定板に固定する線形材料とで形成されたトラス構造の空間にフロートを挿入したことを特徴とする浮台。
【請求項２】
固定板の上部を延長して他の浮台と連結する連結部を形成し、連結具によって他の浮体と連結することを特徴とする請求項１に記載の浮台。
【請求項３】
菅材の一部を軸方向に固定板の厚みで欠如部を形成し、この欠如部に固定板の上部を挿入し、欠如部の対辺の菅材の内面に固定板の上端を突き当てるように線形材料で緊縛したことを特徴とする請求項２に記載の浮台。
【請求項４】
２枚の固定板の間に直角に平板を設け、この平板の下部にペットボトルの口部を保持する孔を設けた短冊状の取付板を取付け、この孔にペットボトルの口部を挿入し、これらペットボトル群でフロートを形成したことを特徴とする請求項１乃至３に記載の浮台。
【請求項５】
複数のフロートをネットで包み込んで一体とした浮体を荷重位置に対応して配置し、この浮体を菅材により連結したことを特徴とする浮台。
【発明の詳細な説明】
【０００１】
【発明の属する技術分野】
本発明は、風車等を海上や水上に設置するために、海上や水上に浮かぶ台、浮台に関する。
【０００２】
【従来技術】
従来、風車等を海上や水上に浮かぶ浮台に設置する場合、特開２０００−２７２５８１号に開示されているように、複数の浮体を周囲に設けた浮台に風車が設置されていた。
【特許文献】特開２０００−２７２５８１号
【０００３】
【発明が解決しようとする課題】
しかし、このような設備は大掛かりなものであると共に、各浮体を支持して結合する必要があるので構造が複雑になる。よって、部品加工や組立てに時間が掛かるので製作して設置するためには多くの費用が掛かる。従って、経済的に豊かではない離島や山間部等の過疎地において設置する場合、国や都道府県等の援助がないと設置することができない。
【０００４】
又、このような複雑な構造においては、組立分解が不可能であるので、容易に設置場所を移動することができない。もし組立分解が可能であったとしても設備が大掛かりなものであるので、設置場所の移動に時間と労力が掛かる。
【０００５】
そこで、本発明は上記課題を解決するためのもので、多くの費用を掛けずに、簡単な構造により組立分解を容易にすることで設置場所の移動が容易にできる風車等を海上や水上に設置するための浮台を提供することを目的とする。
【０００６】
【課題を解決しようとする手段】
上記目的を達成するために、本発明は以下の構成とされている。
本発明の請求項１は、互いに離して並行に配置した複数の菅材と、この菅材が貫通する孔を面部に、又は凹溝を周辺部に有する板状の固定板と、この菅材を緊縛して固定板に固定する線形材料とで形成されたトラス構造の空間にフロートを挿入したことを特徴とする浮台である。
【０００７】
本発明の請求項２は、固定板の上部を延長して他の浮台と連結する連結部を形成し、連結具によって他の浮体と連結することを特徴とする請求項１に記載の浮台である。
【０００８】
本発明の請求項３は、菅材の一部を軸方向に固定板の厚みで欠如部を形成し、この欠如部に固定板の上部を挿入し、欠如部の対辺の菅材の内面に固定板の上端を突き当てるように線形材料で緊縛したことを特徴とする請求項２に記載の浮台である。
【０００９】
本発明の請求項４は、固定板の間に平板を設け、この平板の下部にペットボトルの口部を保持する孔を設けた短冊状の取付板を取付け、この孔にペットボトルの口部を挿入してフロートを形成したことを特徴とする請求項１乃至３に記載の浮台である。
【００１０】
本発明の請求項５は、複数のフロートをネットで包み込んで一体とした浮体を荷重位置に対応して配置し、この浮体を菅材により連結したことを特徴とする浮台である。
【００１１】
【実施例】
最初にフロートにペットボトルを使用するタイプの浮台の実施形態（イ）について図１から図５を用いて説明する。図１は浮台１の正面図、図２は浮台１の側面図、図３は浮台１の平面図、図４は浮台１のＡ−Ａ断面図、図５は浮台１のＢ−Ｂ断面図である。
【００１２】
浮台１は並行に配置された複数の菅材２と、その菅材２を一定間隔Ｌ１で保持する固定板３とで形成されたトラス構造の空間に複数のペットボトル４が挿入されて形成される。
【００１３】
初めにトラス構造について説明する。固定板３は、図２、４に示すように平板５、６の両端に複数のホゾ１９を設け、固定板３の中央部に複数のホゾ溝２０を設け、ホゾ構造により平板５、６の両端に直角に固定される。複数の菅材２は、固定板３に設けられた孔７又は凹溝８に挿入されて、複数のペットボトル４の周囲に並行に配置される。菅材２は、図２、４、５に示すように固定板３の側面で針金等の線形材料９により緊縛して固定板３に固定される。線形材料９による菅材２の具体的な緊縛方法は、図２、４に示すように菅材２をペットボトル４の下部、側部、左上部と右上部に分けて結束される。下部は２本の菅材２が１つの線形材料９で結束される。側部は左右側部に設けられた４本の菅材２が１つの線形材料９で結束される。左上部、右上部の２本の菅材２は、それぞれ固定板３の中央に設けた凸部１０と線形材料９で三角形状に結束される。この様にして菅材２と固定板３とのトラス構造は形成される。
【００１４】
次にペットボトル４の取付構造について説明する。ペットボトル４の口部は、図５に示すように短冊状の取付板１１の孔１２に挿入され、この取付板１１は固定板３の間Ｌ１に設けられた平板５の下部に木ねじ等により取付けられる。ペットボトル４の底部は固定板３の間Ｌ１に設けられた平板６に支えられる。これにより複数のペットボトル４群は菅材２と固定板３とのトラス構造の空間にフロートとして配置される。そして、図１、５で示すように紐で簾状に連結した半割の竹１３で、ペットボトル４群を覆うように浮台１の底部、側部の下半分が覆われる。
【００１５】
尚、本実施形態においては、図１〜５に示すように１つの浮台１は、１０本の約３ｍの菅材２、４個の固定板３、各３個の平板５、平板６、２４個の取付板１１と１４４個のペットボトル４で形成される。菅材２は竹であり、固定板３、平板５、平板６と取付板１１はコンパネ（木製）であり、線形材料９はステンレス製の針金である。
【００１６】
次に浮台１を連結具１４により連結する構造について図４、５を用いて説明する。本実施形態の連結具１４としては菅材が用いられる。連結具（菅材）１４の一端の外周に設けられた欠如部１５に固定板３の上端を挿入される。固定板３の長孔１６に挿入された針金等の線形部材１７によって、固定板３の上端が欠如部１５の対辺の連結具（菅材）１４の内面１８に突き当てるように連結具（菅材）１４が緊縛される。これより、連結具（菅材）１４の一端が浮台１の固定板３の上端に固定される。同様の固定方法で連結具（菅材）１４の他端を他の浮台１に固定して浮台１と浮台１とが連結される。又、浮台１を菅材２の軸心方向に連結する方法は、固定板３の菅材２が貫通する孔７、凹溝８を小判型の長孔にして、その各長孔に連結する浮台１の各菅材２を挿入して緊縛することにより浮台１と浮台１とが菅材２の軸方向に連結される。
【００１７】
上記実施形態（イ）においては、１つの浮台１に１４４個の２リットルのペットボトル４を有するので、ペットボトル４の約６割が水に浸かると、１つの浮台１で約１７０ｋｇの浮力を有する。この浮台１を連結具１４で横方向に３台、管材２の軸方向に２台の計６台を連結すると約１トン（１７０ｋｇ×６）の浮力を得ることができるので、６台の浮台１を連結した大きな浮台には約１トンの設置物を置くことが可能である。よって、複数の浮台１を連結することで風車を設置できる大きな浮台を形成することができる。従って、海上や水上を吹く風を利用して風車を回転させることで、エネルギー、動力を得ることができる。このエネルギー、動力を利用して、ダイナモ（発電機）を回転させて電力を得ることができる。又、ふいごを動かして水中に空気を送って泡を形成することでエアーレーションとして使用できる。更に、浮台１の水中側にフォルト・シュナイダープロペラ等のスクリューを突出させて設け、このスクリューを回転させて浮台１の推進力としても利用できる。これにより、浮台１をヨットしても使用できる。このとき、ペットボトル４群の側部と下部は半割の竹１３で覆われているので外形が滑らかになって、水の抵抗が小さくなるので、ヨットがスムーズに走ることができる。又、風車を設けずに単に舟として渡し舟に使用したり、家を設置して浮島として使用することもできる。
【００１８】
海上や水上の風力は地上の風力に比べて大きいので、地上に設けた風車より海上や水上に設けた風車の方が大きな電力を得ることができる。又、海上や水上の方が陸上に比べて土地の買収等のいろいろな諸条件の制約が少ない。
【００１９】
エアーレーションやヨット（浮台１）の推進力は風車により得られた動力をその場で利用するので動力を効率よく使用することができる。又、浮台１の外部からエネルギー、動力を加えずにエアーレーションのふいごやヨット（浮台１）のプロペラを稼動させることができる。
【００２０】
上記実施形態（イ）においては、菅材２と固定板３とで形成したトラス構造の空間にフロートとなるペットボトル４を挿入した浮台１であるので、船のように枠組みを形成する必要がなく、又複数のフロートを連結するための構造も必要ない。又、菅材２と固定板３とのトラス構造の形成には溶接やボルト等を使用しないで針金等の線形材料９で組立てられているので分解組立が容易である。よって、浮台１の設置場所の移動が容易にできる。更にトラス構造であるので強度がある。
【００２１】
浮台１に連結部が形成されて他の浮台１と連結具１４で連結することができるので、複数の浮台１を連結することで海上や水上に発電、エアーレーション、ヨットの推進力に使用するエネルギー、動力を得るための風車を設置できる大きな浮台を形成することができる。
【００２２】
浮台１の連結に溶接やボルト等を使用しないで針金等の線形材料１７を使用しているので組立分解が容易である。よって、浮台１の設置場所の移動が容易にできる。又、固定板３の上端を連結具（菅材）１４の内面１８に突き当てて固定するので固定板３の上端が連結具（菅材）１４の内面１８に密着する。よって、連結具（菅材）１４は固定板３の上端と平行に固定することができる。
【００２３】
ペットボトル４の口部を取付板１１と平板５で支持しているので、ペットボトル４に加わる浮力を平板５で確実に受けることができる。又、浮台１に捩り等の力が加わっても浮力を有するペットボトル４は１つ１つ独立しているのでペットボトル４には捩り力は直接加わらない。よって、ペットボトル４が壊れる可能性が少ないので浮台１が浸水することはない。
【００２４】
更に、ペットボトル４の水没部分である側部と下部は半割の竹１３で覆われているので、水中の異物や水上の浮遊物からペットボトル４を保護することでき、ペットボトル４に異物や浮遊物が当たって穴が開いたりすることがない。又、全体に使用されている各部品の形状が簡単であるので、加工、制作費が安くなると共に、ペットボトル４は廃品であるし、その他の材料に竹、木を用いると材料費が安くなる。
【００２５】
次にフロートに薬品が入っていた廃品のビニール袋を用いた浮台の実施形態（ロ）について図６から図９を用いて説明する。図６は浮台２１の正面図、図７は浮台２１の側面図、図８は浮台２１の平面図、図９は浮台２１のＡ−Ａ断面図である。
【００２６】
浮台２１は並行に配置された複数の菅材２２と、その菅材２２の間隔を一定に保持するために一定間隔Ｌ２で配置された固定具２３とで形成されたトラス構造の菅材２と固定具２３とで形成された空間に複数のフロート２４が挿入されて形成される。
【００２７】
菅材２２は、図７に示すように横に並べられた３個のフロート２４の上部とフロート２４の間に並行に並べて設けられる。固定具２３は、図９に示すように２枚の固定板２５をスペーサ２６の両端にボルト２７で固定して形成される。固定板２５は菅材２２が貫通する孔２８が設けられ、一定間隔Ｌ３で並行に配置される。複数の菅材２２を一定間隔Ｌ２では配置された固定具２３の固定板２５の孔２８に挿入することで、菅材２２と固定具２３とでトラス構造が形成されている。フロート２４は、図９に示すようにこの固定具２３の固定板２５の間Ｌ２、Ｌ３と菅材２２とで囲まれた空間に配置される。そして、フロート２４の外周の側部と下部は、図６、７に示すように紐で簾状に連結した半割の竹２９で覆われ、更にその外周の数ヶ所をステンレスの針金、ロープやワイヤー等の線形材料３０で緊縛することで浮台２１が形成されている。又、浮台２１を連結具（菅材）３１で連結する構造は実施形態（イ）と同様である。
【００２８】
尚、本実施形態においては、菅材２２は竹で、スペーサ２６は塩化ビニール等の樹脂で、固定具２３の固定板２５はコンパネ（木製）で形成される。又、空間に挿入されるフロート２４は薬品が入っていた廃品のビニール袋である。更に、複数の菅材２２は平行に並べられ、固定具２３の２枚の固定板２５も平行に並べられている。
【００２９】
上記実施形態（ロ）においては、菅材２２と固定板２５とで形成したトラス構造の空間にフロート２４を挿入した浮台２１であるので、船のように枠組みを形成する必要がなく、又複数のフロート２４を連結するための構造も必要ない。又、菅材２２と固定板２５とのトラス構造の形成には溶接やボルト等を使用しないで針金等の線形材料３０を使用しているので分解組立が容易である。よって、浮台２１の設置場所の移動が容易にできる。更にトラス構造であるので強度がある。
【００３０】
浮台２１に連結部が形成されて他の浮台１と連結具（菅材）３１で連結することができるので、複数の浮台２１を連結することで海上や水上に発電、エアーレーション、ヨットの推進力に使用する動力を得るための風車を設置できる大きな浮台を形成することができる。
【００３１】
浮台２１の連結に溶接やボルト等を使用しないで針金等の線形材料を使用しているので組立分解が容易である。よって、浮台２１の設置場所の移動が容易にできる。又、固定板２５の上端を連結具（菅材）３１の内面に突き当てて固定するので固定板２５の上端が連結具（菅材）３１の内面に密着する。よって、連結具（菅材）３１は固定板２５の上端と平行に固定することができる。
【００３２】
更に、フロート２４は薬品が入っていたビニール袋であるので、分解したときに空気を抜くことでフロート２４をコンパクトにできる。又、フロート２４の空気を抜いた状態で組立てたトラス構造の空間に入れてから、フロート２４に空気を入れて膨らますことができるので組立が簡単になる。
【００３３】
次に固定板の上部に連結部のないタイプの浮台の実施形態（ハ）について図１０、図１１を用いて説明する。図１０は浮台４１の正面図、図１１の（ａ）は浮台４１のＡ−Ａ断面図、（ｂ）は浮台４１のＢ−Ｂ断面図である。
【００３４】
浮台４１は並行に配置された複数の菅材４２と、その菅材４２の間隔を一定に保持するために一定間隔Ｌ４で配置された固定具４３とで形成されたトラス構造の空間に複数のフロート４４が挿入されて形成される。
【００３５】
菅材４２は、図１１の（ａ）Ａ−Ａ断面図に示すようにフロート４４の周囲を囲むように一定間隔で並行に並べて設けられる。固定具４３は、２枚の固定板４５が一定間隔Ｌ５で並行に配置され、その間隔Ｌ５にスペーサ４６を入れて両端を固定板４５にボルト４７で固定されて形成される。そして、固定板４５には菅材４２が貫通する孔４８が設けられる。その孔４８に複数の菅材４２が挿入され、２枚の固定板４５の間Ｌ５で複数の菅材２２が針金、ロープやワイヤー等の線形材料４９で緊縛される。これにより、菅材２２と固定具４３とでトラス構造が形成される。フロート４４は、このトラス構造の固定具４３の間Ｌ４と菅材４２とで囲まれた空間に挿入される。
【００３６】
尚、本実施形態においては、菅材４２は竹で、スペーサ４６は塩化ビニール等の樹脂で、固定具４３の固定板４５はコンパネ（木製）である。又、空間に挿入されるフロート４４は薬品が入っていた廃品のビニール袋である。更に、複数の菅材４２は平行に並べられ、固定具４３の２枚の固定板４５も平行に並べられている。
【００３７】
本実施形態の浮台４１を菅材４２の軸方向に複数接続して上面に半割の竹５０を敷詰めることで橋として使用することができる。この橋を陸から海上、水上に突出して設け、ロープやワイヤーにより陸に固定されると桟橋が形成される。
【００３８】
上記実施形態（ハ）の浮台４１においては、実施形態（ロ）と同様の作用効果を有する。
【００３９】
最後にフロートをネットで包み込むタイプの浮台の実施形態（ニ）について図１２、１３を用いて説明する。図１２（ａ）は６つの浮体６２で形成した浮台６１、（ｂ）は４つの浮体６２で形成した浮台６１の平面図、図１３は浮体６２の斜視図である。
【００４０】
浮台６１は、図１２（ａ）に示すように浮体６２を六角形の角に、又は図１２（ｂ）に示すように四角形の角に配置し、菅材６３によって連結することで構成されている。本実施形態の菅材６３としては１本の竹を用いていているが、特願２００２−２３９２２１の記載された竹トラスを用いても良い。
【００４１】
浮体６２は、図１３に示すように水平な板材６４の下面に複数のフロート６５をネット６６でまとめられて取付けられた構成である。
【００４２】
尚、本実施形態においては、フロート６５は薬品等が入っていた廃品となるビニール袋である。又、ネット６６はナイロン製の紐、水平な板材６４はコンパネ（木製）、菅材６３は１本の竹である。
【００４３】
上記実施形態（ニ）を風車の浮台６１として使用した場合について図１４から図１５を用いて説明する。図１４は浮台６１に三脚型風車６７を設置した図、図１５は浮台６１に鳥居型風車６８を設置した図である。
【００４４】
三脚型風車６７の設置について説明する。図１４（ａ）に示すように六角形の角に配置された浮体６２の斜線で示した浮体６２に、三脚型風車の支柱６９が設置されて、図１４（ｂ）に示すように三脚型風車６７の浮台６１として使用される。この場合、三脚型風車の支柱６９が荷重位置に当たり、支柱６９に浮体６２が配置される。
【００４５】
鳥居型風車７０の設置について説明する。図１５（ａ）に示すように斜線で示した四角形の対角に配置された浮体６２に、鳥居型風車の支柱７０が設置されて、図１５（ｂ）に示すように鳥居型風車６８の浮台６１として使用される。この場合、鳥居型風車の支柱７０が荷重位置に当たり、支柱７０に浮体６２が配置される。
【００４６】
このように浮台６１に三脚型風車６８や鳥居型風車６７を設置され、この風車のエネルギー、動力を、実施形態（イ）（ロ）と同様に発電、エアーレーションやヨット（浮台６１）の推進力として利用できる。
【００４７】
上記実施形態（ニ）の浮台６１においては、何れの風車においても荷重位置である支柱６９，７０が浮体６２に配置されているので、風車の荷重を確実に浮体６２で受けることができる。よって、風車が浮台６１に安定して設置できる。そして、複数のフロート６５をネット６６で包み込んで一体としているので、個々にフロート６５の取付ける必要が無くなる。よって、フロート６５の取付構造が簡単になるので加工費や組立費等の制作費が安くなる。又、組立分解が容易になるので設置場所の移動が可能になる。更に本実施形態においては、菅材６３は竹で製作されているので軽量である。よって、設置場所の移動が更に容易になる。そして、本実施形態においては、菅材６３は竹、板材６４はコンパネ（木製）、フロート６５は薬品が入っていた廃品のビニール袋、ネット６６はナイロン製であるので材料費が安くなる。
【００４８】
尚、上記実施形態（イ）（ロ）（ハ）（ニ）に使用する菅材２、２２、４２、６３や連結具（菅材）１４、３１等に使用する竹や半割の竹１３、２９、５０は、薬剤を用いず加熱により殺菌されているので、環境を汚染することがない。又、加熱は油やマイクロ波を用いて行い、加熱用油に廃油が使用されると殺菌する費用も安価になる。
【００４９】
本発明は、上記実施形態（イ）（ロ）（ハ）（ニ）に限定されず、次のような構成の別実施形態がある。
（１）上記実施形態（イ）（ロ）（ハ）においては、トラス構造を形成する菅材２、２２、４２に竹を用いているが、アルミニウム管等の金属管、塩化ビニール管等の樹脂管を用いても良い。
（２）上記実施形態（イ）（ロ）においては、浮台１、２１の連結具（菅材）１４、３１に竹を用いていたが、木製の角材、アルミニウム等金属の型材や金属管、塩化ビニール等の樹脂管や樹脂材等何を用いても良い。
（３）上記実施形態（イ）では１つの浮台１は約３ｍの１０本の菅材２、４個の固定板３、各３個の平板５、５、２４個の取付板１１と１４４個のペットボトル４で構成されるが、もちろん１つの浮台１の構成はこれら数に限定されない。
（４）上記実施形態（イ）では、図４、５に示すように、菅材２は１枚の固定板３の側面で針金等の線形材料９により緊縛して固定板３に固定されるが、図１６に示すように２枚の固定板３を設け、その固定板３の間で菅材２を線形材料９により緊縛して固定板３に固定しても良い。
（５）上記実施形態（イ）では、左上部、右上部の菅材２は固定板３に設けた凸部１０と線形材料９で結束されるが、図１６のに示すように凸部の代わりに菅材２を設けて３本の菅材２で結束しても良い。
（６）上記実施形態（イ）では、浮台１を連結具１４で横方向に３台、固定板３の長孔で菅材２の軸方向に２台の合計６台で大きな浮台を形成していたが、この数に限定されず、横方向にｍ台、軸方向にｎ台の合計ｍ×ｎ台で大きな浮台を形成しても良い。
（７）上記実施形態（ロ）の浮台２１は固定具２３の固定板２５の間Ｌ３にフロート２４を設けているが、フロート２４を必ず設ける必要はない。
（８）上記実施形態（ロ）の浮台２１は固定具２３の間Ｌ２にフロート２４を菅材２４の軸方向に３個、横方向に３個の構成であるが、菅材２４の軸方向に３個、横方向に４個の構成でもよく、つまり、菅材２４の軸方向にｍ個、横方向にｎ個設けた構成でも良い。ｍとｎは共に自然数である。
（９）上記実施形態（ハ）では上面に半割の竹５０を敷詰めた構成であるが、平らな板材を設けた構成でも良い。
（１０）上記実施形態（ハ）ではフロート４４を浮台４１の横方向に２つ設けた構成であるが、フロート４４を浮体４１の菅材４２の軸方向に２つ設けた構成でもよく、フロート４４の並べる方向や数に限定はない。つまり、フロート４４を横方向にｍ個、菅材４２の軸方向にｎ個設け、菅材４２と固定具４３で形成した空間にｍ×ｎ個のフロート４４を設けてもよい（ｍ、ｎは自然数である）。又、菅材４２の本数についても特に限定はない。
（１１）上記実施形態（ハ）では浮台４１を菅材４２の軸方向に接続しているが、浮台４１を横方向に接続しても良い。
（１２）上記実施形態（ニ）では浮体６２を連結する菅材６３には竹を使用しているがアルミニウム管等の金属管、塩化ビニール管等の樹脂管を使用しても良い。
（１３）上記実施形態（ニ）は浮体６２が６個の六角形の浮台６１であるが、浮体６２がｎ個のｎ角形の浮台６１であっても良い。このとき、ｎは３以上の自然数である。又、必ず浮体６２がｎ個のｎ角形の浮台６１でなくても良く。図１７に示すように、３つの浮体６２を連結した浮台６１の構成（ａ）、四角形の浮台６１の中心に浮体６２を設けた構成（ｂ）、六角形の浮台６１の中に浮体６２を設けた構成（ｃ）でも良い。つまり、請求項１に記載されているように浮体６２を荷重位置に対応して配置すればよく、ｍ個の浮体６２でｎ角形の浮台を構成しても良い。このとき、ｍ、ｎは２以上の自然数で、ｍ≧ｎである。
（１４）上記実施形態（ニ）では、浮体６２を離して配置しているが、請求項１に記載されているように浮体６２を荷重位置に対応して配置すればよく、図１７（ｃ）に示すように複数の浮体６２を離間距離Ｌ＝０で並べて配置しても良い。
（１５）上記実施形態（イ）（ロ）（ニ）では浮台１，２１，６１を風車の浮台に、上記実施形態（ハ）では浮台４１を橋、桟橋に使用しているが、実施形態（イ）（ロ）（ニ）の浮台１、２１、６１を橋、桟橋に、実施形態（ハ）の浮台４１を風車の浮台に使用しても良い。
（１６）上記実施形態（ロ）（ハ）（ニ）においてはフロート２４、４４、６５に薬品が入っていた廃品のビニール袋を使用しているが、フロートに廃品のペットボトルを使用しても良い。
【００５０】
【発明の効果】
本発明の請求項１によると、トラス構造の空間にフロートを入れるだけの簡単な構造で浮台を形成することができるので、船のように枠組みを形成する必要がなく、複数のフロートを連結するための構造も必要としない。又、菅材の固定板への固定に針金等の線形材料を用いているので菅材と固定板とのトラス構造の組立分解が容易である。よって、設置場所の移動が容易である。
【００５１】
本発明の請求項２によると、浮台と他の浮台と連結具で連結することができるので、複数の浮台を連結することで大きな浮台を形成することができる。この大きな浮台は、海上や水上に発電、エアーレーション、ヨットの推進力に使用する動力を得るための風車の浮台として使用できる。又、橋、桟橋、渡し舟や浮台に家を設置して浮島としても使用できる。
【００５２】
本発明は請求項３によると、浮台同士の連結の組立分解が容易になるので設置場所の移動が容易にできる。又、固定板の上端が菅材の内面に密着するので菅材（連結具）を固定板の上端と平行に固定することができる。
【００５３】
本発明の請求項４によると、フロートとなるペットボトルに加わる浮力を平板で確実に受けることができる。又、フロートに廃品となるペットボトルを使用するので価格が安くなると共に、リサイクルになる。更に、浮台に捩り等の力が加わっても浮力を有するペットボトルは１つ１つ独立しているのでペットボトルに直接捩り等の力が加わらない。よって、ペットボトルが壊れる可能性は少ないので浮台が浸水することはない。
本発明の請求項５によると、浮体に設置されるフロートの取付構造が簡単になるので加工費や組立費等の制作費が安くなる。又、浮台に設置されるものの荷重位置に対応して浮体が配置されるので、設置物の荷重を確実に浮体で受けることができる。よって、設置物が浮台に安定して取付けることができる。
【図面の簡単な説明】
【図１】実施形態（イ）の浮台１の正面図
【図２】実施形態（イ）の浮台１の側面図
【図３】実施形態（イ）の浮台１の平面図
【図４】実施形態（イ）の浮台１のＡ−Ａ断面図
【図５】実施形態（イ）の浮台１のＢ−Ｂ断面図
【図６】実施形態（ロ）の浮台２１の正面図
【図７】実施形態（ロ）の浮台２１の側面図
【図８】実施形態（ロ）の浮台２１の平面図
【図９】実施形態（ロ）の浮台２１のＡ−Ａ断面図
【図１０】実施形態（ハ）の浮台４１の正面図
【図１１】（ａ）は実施形態（ハ）のＡ−Ａ断面図、（ｂ）は実施形態（ハ）のＢ−Ｂ断面図
【図１２】（ａ）実施形態（ニ）の６の浮体６２で形成した浮台６１の平面図、（ｂ）実施形態（ニ）の４つの浮体６２で形成した浮台６１の平面図
【図１３】実施形態（ニ）の浮体６２の斜視図
【図１４】実施形態（ニ）の浮台６１に三脚型風車６７を設置した図
【図１５】実施形態（ニ）の浮台６１に鳥居型風車６８を設置した図
【図１６】実施形態（イ）の別実施形態の正面図
【図１７】実施形態（ニ）の別実施形態（ａ）（ｂ）（ｃ）
【符号の説明】
１：浮台            ２：菅材            ３：固定板
４：ペットボトル    ５：平板            ７：孔
８：凹溝            ９：線形材料      １１：取付板
１２：孔            １４：連結具        １５：欠如部
１７：線形材料      １８：内面          ２１：浮台
２２：菅材          ２４：フロート      ２５：固定板
２８：孔            ３０：線形材料      ３１：連結具
４１：浮台          ４２：菅材          ４４：フロート
４５：固定板        ４８：孔            ４９：線形材料
６１：浮台          ６２：浮体          ６３：菅材
６５：フロート      ６６：ネット
【図１】
2004175321.tif 000003
【図２】
2004175321.tif 000004
【図３】
2004175321.tif 000005
【図４】
2004175321.tif 000006
【図５】
2004175321.tif 000007
【図６】
2004175321.tif 000008
【図７】
2004175321.tif 000009
【図８】
2004175321.tif 000010
【図９】
2004175321.tif 000011
【図１０】
2004175321.tif 000012
【図１１】
2004175321.tif 000013
【図１２】
2004175321.tif 000014
【図１３】
2004175321.tif 000015
【図１４】
2004175321.tif 000016
【図１５】
2004175321.tif 000017
【図１６】
2004175321.tif 000018
【図１７】
2004175321.tif 000019